(57)【要約】【課題】把手の上方に配置している握り部をベースに近い位置に配置することができ、握り部の形状、材質、位置の自由度が広く、使い勝手を向上させると同時にデザイン性に富んだアイロンを提供すること。【解決手段】ヒータ１によって加熱されるベース２と、ベース２の上方に配設したベースカバー３と、ベースカバー３の上方に配設した把手４と、把手４の上方に配設した握り部５とを備え、握り部５は複数の部品で構成したものであり、把手４の上方に配置している握り部５をベース２に近い位置に配置することができるため、握り部５の形状、材質、位置の自由度が広がるもので、使い勝手を向上させると同時にデザイン性に富んだアイロンを実現することができる。【選択図】図１
2010136856.tif 000002
【特許請求の範囲】
【請求項１】
ヒータによって加熱されるベースと、前記ベースの上方に配設したベースカバーと、前記ベースカバーの上方に配設した把手と、前記把手の上方に配設した握り部とを備え、前記握り部は複数の部品で構成したアイロン。
【請求項２】
握り部を上下方向に握り部上部と握り部下部とに分割する構成とした請求項１記載のアイロン。
【請求項３】
握り部上部は、把手と異なる材料で構成した請求項２記載のアイロン。
【請求項４】
握り部上部は、把手よりも熱伝導率の低い材料で構成した請求項３記載のアイロン。
【請求項５】
握り部上部と握り部下部との間に空間を設けた請求項２〜４のいずれか１項記載のアイロン。
【発明の詳細な説明】
【技術分野】
【０００１】
本発明は、衣類等のしわ伸ばしに用いられるアイロンに関するものである。
【背景技術】
【０００２】
従来、この種のアイロンは把手で握り部を構成しており、ベースの熱がベースカバーと把手に伝わり、把手の熱が握り部へ直接伝わることから、握り部の温度を低減させることが困難であった（例えば、特許文献１参照）。
【０００３】
図３は上記特許文献１に記載された従来のアイロンを示すもので、以下その構成について説明する。ヒータ（図示せず）を埋設しているベース１０１と、ベース１０１の上方に配設、固着されたベースカバー１０２と、ベースカバー１０２の上方に配設、固着された把手１０３と、把手１０３の上部に把手１０３と同一部材で一体に形成された握り部１０３ａとから構成されたものである。さらに、ヒータ（図示せず）に給電するためのコード１０４を上部から引き出した把手裏板１０５を把手１０３の後方開口部を閉塞するよう配設、固着している。
【特許文献１】特開平１０−２７７２９５号公報
【発明の開示】
【発明が解決しようとする課題】
【０００４】
しかしながら、このような従来のアイロンでは握り部を把手と同一部材で一体に形成していることから、ベースの熱がベースカバーと把手に伝わり、握り部の温度を下げるためには握り部とベースの距離を長く確保する必要があった。そのため、握り部の位置が高くなり、アイロンの使い勝手が悪くなったり、アイロン全体が大型化したり、デザインが悪くなったりしていた。
【０００５】
本発明は、上記従来の課題を解決するもので、握り部を把手と別部品にし、かつ、複数部材で構成することで握り部の位置を低く形成することができ、アイロンの使い勝手を向上させ、デザイン性に富んだアイロンを提供することを目的としている。
【課題を解決するための手段】
【０００６】
前記従来の課題を解決するために、本発明のアイロンは握り部を把手と別部品にし、かつ、複数部材で構成することで握り部の温度上昇を低減させるものである。
【０００７】
これによって、把手の上方に配置している握り部をベースに近い位置に配置することができるため、握り部の形状、材質、位置の自由度が広がるもので、使い勝手を向上させ、デザイン性に富んだアイロンを実現させるものである。
【発明の効果】
【０００８】
本発明のアイロンは、把手の上方に配置している握り部をベースに近い位置に配置することができるため、握り部の形状、材質、位置の自由度が広がるもので、使い勝手を向上させると同時にデザイン性に富んだアイロンを実現させるものである。
【発明を実施するための最良の形態】
【０００９】
第１の発明は、ヒータによって加熱されるベースと、前記ベースの上方に配設したベースカバーと、前記ベースカバーの上方に配設した把手と、前記把手の上方に配設した握り部とを備え、前記握り部は複数の部品で構成したことにより、把手の上方に配置している握り部をベースに近い位置に配置することができるため、握り部の形状、材質、位置の自
由度が広がるもので、使い勝手を向上させると同時にデザイン性に富んだアイロンを実現させることができる。
【００１０】
第２の発明は、上記第１の発明において、握り部を上下方向に握り部上部と握り部下部とに分割する構成としたことにより、握り部の形状、位置の自由度が広がるもので、使い勝手を向上させると同時にデザイン性に富んだアイロンを実現させることができるとともに、アイロン掛けの際に手のひらで上方から押し付ける握り部の上面に複数部材の分割部がないので、使用時の違和感を生じることがない。
【００１１】
第３の発明は、上記第２の発明において、握り部上部は、把手と異なる材料で構成したことにより、握り部の形状、材質、位置の自由度が広がるもので、握り部上部と把手とをそれぞれの目的に応じた材料選択および形状、色彩とすることができるので、使い勝手を向上させると同時にデザイン性に富んだアイロンを実現させることができる。
【００１２】
第４の発明は、上記第３の発明において、握り部上部は、把手よりも熱伝導率の低い材料で構成したことにより、握り部の形状、材質、位置の自由度が広がるもので、握り部の温度上昇をより低減させることができるので、使い勝手を向上させると同時にデザイン性に富んだアイロンを実現させることができる。
【００１３】
第５の発明は、上記第２〜第４の発明において、握り部上部と握り部下部との間に空間を設けたことにより、空間の断熱効果で握り部の温度上昇をさらに低減させることができ、アイロンの使い勝手を向上させることができる。
【００１４】
以下、本発明の実施の形態について、図面を参照しながら説明する。また、この実施の形態によって本発明が限定されるものではない。
【００１５】
（実施の形態１）
図１は、本発明の第１の実施の形態におけるアイロンの外観図、図２は、本発明の第１の実施の形態におけるアイロンの要部断面図である。図１、２において、ヒータ１によって加熱されるベース２の上方にはベースカバー３がビス（図示せず）等の締結手段によってねじ止めされ、ベースカバー３の上方には把手４を配設し、ビス８等の締結手段によってねじ止めされている。
【００１６】
把手４の上方に形成された握り部５は、把手４の前方下方から後方上方に略Ｌ字状に延設させた握り部下部５ａと、その握り部下部５ａを上方から空間を有して覆うように配設した握り部上部５ｂとで構成している。
【００１７】
握り部上部５ｂは、把手４の全体を上方から覆うカバー９の後部を構成している。また、握り部下部５ａは、前方に前壁５ｃを有する前後方向に長い筒状に形成し、後方は開口部としている。
【００１８】
把手４の後部に前記ヒータ１に給電するためのコード６を上部から引き出した把手裏板７を取着し、握り部下部５ａと握り部上部５ｂの後方開口部を閉塞するよう配設している。また、把手裏板７はアイロンを自立させる置き台として使用できるものである。
【００１９】
上記握り部５は、カバー９を把手４に組み付けることにより使用可能な形態として完成する。把手裏板７を取り付ける前に、把手４の上方からカバー９を被せ、握り部下部５ａの前壁５ｃを把手４に後方開口部からビス１０で締結することによって、カバー９が把手４に組み付けられることで、握り部５が完成する。
【００２０】
そして、この完成した握り部５は、図１に示すように、その側面の上下方向のほぼ中央で握り部下部５ａと握り部上部５ｂとを対向させ、両者が上下方向に配設されるようにしている。
【００２１】
把手４は熱伝導率が約０．２４Ｗ／（ｍ・Ｋ）のポリエチレンテレフタレート（以下ＰＥＴと称する）で成形され、カバー９は、熱伝導率が約０．１９Ｗ／（ｍ・Ｋ）で把手４のＰＥＴの熱伝導率より低いポリプロピレン（以下ＰＰと称する）で成形されている。
【００２２】
以上のように構成されたアイロンの作用、動作について、以下に説明する。アイロン掛け時には、把手４の上方に形成された握り部５、すなわち握り部下部５ａと握り部上部５ｂを同時に保持してアイロン掛けをすることになる。アイロン使用中は、高温に設定されたベース２の温度がベースカバー３に伝わり、把手４へと伝達された後、把手４から握り部下部５ａに伝わり、最後に握り部上部５ｂへと伝達される。
【００２３】
したがって、長時間アイロンを使用する場合でも、握り部５が、把手４の握り部下部５ａと、それとは空間を有して分割された握り部上部５ｂとで分割した構成としたことにより、握り部５の温度上昇を抑えることができ、使用者が不快感を感じることなくアイロン掛けすることができる。
【００２４】
また、握り部５を握り部下部５ａと握り部上部５ｂとに上下方向に分割してあるので、アイロン掛けの際に手のひらで上方から押し付ける握り部５の上面に握り部下部５ａと握り部上部５ｂとの分割部がなく、使用時の違和感を生じることがない。
【００２５】
また、ベース２により近い把手４に耐熱性に優れたＰＥＴを採用することにより、長年の使用による把手４の変形や劣化を防止できるのみならず、把手４の部分での多彩な色、形状での構成が可能となる。
【００２６】
一方、ＰＥＴは上記のように耐熱性に優れる反面、熱伝導率が高く、ＰＥＴ製の把手４のみで握り部５を構成すると握り部５の高さ位置が高くならざるを得ず、使い勝手が悪くなる。
【００２７】
しかしながら、本発明では、握り部５を把手４（握り部下部５ａ）とカバー９（握り部上部５ｂ）とに分割し、熱伝導率が把手４のＰＥＴより低いＰＰでカバー９を構成したことにより、ベース２から把手４を経由してカバー９へ伝達される熱量を軽減することができるので、握り部５の高さ位置を低くすることができ、熱伝導の軽減と相俟って使用感およびアイロン掛けの使い勝手を向上させることができる。
【００２８】
さらに、カバー９に採用したＰＰは、成形時のバリが少なく、バリ取りをせずに成形品のままでの使用が可能であり、アイロン製造上のメリットが大きいのみならず、握り部５を握った時に使用者の手や指を傷付けることがない。
【産業上の利用可能性】
【００２９】
以上のように、本発明にかかるアイロンは、握り部をヒータによって加熱されるベースに近い位置で構成することができるので、衣類等のしわ伸ばしを行うアイロンに限らず、握り部を持つ熱機器等に有用である。
【図面の簡単な説明】
【００３０】
【図１】本発明の実施の形態１のアイロンの外観図
【図２】本発明の実施の形態１のアイロンの要部断面図
【図３】従来のアイロンの外観図
【符号の説明】
【００３１】
１  ヒータ
２  ベース
３  ベースカバー
４  把手
５  握り部
５ａ  握り部下部
５ｂ  握り部上部
６  電源コード
７  把手裏板
９  カバー
【図１】
2010136856.tif 000003
【図２】
2010136856.tif 000004
【図３】
2010136856.tif 000005